(57)【要約】【課題】収納物を取り出そうと持ち上げた際に側板の表示部が形成してある内面の凹みの上側の立ち上がり部の尖った部分に収納物が当たって収納物を損傷してしまうことのない折り畳みコンテナを提供する。【解決手段】矩形状の底板１の一対の対向辺に夫々回動自在に取付けた一方の一対の側板２と、他の一対の対向辺に回動自在に取付けた他方の一対の側板２とを、一方の一対の側板２を倒した上に他方の一対の側板２を倒した状態で折り畳み且つ他方の一対の側板２を起立させた後に一方の一対の側板２を起立させて箱形状に組み立てる折り畳みコンテナである。各側板２の内面を平板状に形成して任意の側板２の一部を側断面形状が略コ字状となるように外側に凸曲させて外面にラベル貼着及び印刷可能な表示部３を形成した。表示部３の内側の凹み部の上側の側板２からの立ち上がり部に内側下方に面する傾斜部８を形成した。【選択図】　　　　図１
2004131139.tif 000002
【特許請求の範囲】
【請求項１】
矩形状の底板の対向する一対の辺にそれぞれ回動自在に取付けた一方の一対の側板と、対向する他の一対の辺に回動自在に取付けた他方の一対の側板とを、一方の一対の側板を倒した上に他方の一対の側板を倒した状態で折り畳み且つ他方の一対の側板を起立させた後に一方の一対の側板を起立させて箱形状に組み立てる折り畳みコンテナであって、各側板の内面を平板状に形成して任意の側板の一部を側断面形状が略コ字状となるように外側に凸曲させて外面にラベル貼着及び印刷可能な表示部を形成し、前記表示部の内側の凹み部の上側の側板からの立上がり部に内側下方に面する傾斜部を形成して成ることを特徴とする折り畳みコンテナ。
【請求項２】
側板の外面部に外リブを設け、側板に形成する表示部を該側板の外リブの外側端面付近に位置するように凸曲して形成して成ることを特徴とする請求項１記載の折り畳みコンテナ。
【請求項３】
表示部にシボ加工を施して成ることを特徴とする請求項１又は請求項２記載の折り畳みコンテナ。
【発明の詳細な説明】
【０００１】
【発明の属する技術分野】
本発明は、折り畳みコンテナに関するものである。
【０００２】
【従来の技術】
従来から、矩形状の底板の対向する一対の辺にそれぞれ回動自在に取付けた一方の一対の側板と、対向する他の一対の辺に回動自在に取付けた他方の一対の側板とを、一方の一対の側板を倒した上に他方の一対の側板を倒した状態で折り畳み且つ他方の一対の側板を起立させた後に一方の一対の側板を起立させて箱形状に組み立てる口枠無しの折り畳みコンテナが知られている。この折り畳みコンテナは、側板を平板状の部材で形成してあり、この側板の内面は平板状に形成すると共に、側板の外面には通常は補強用のリブを設けてある（例えば、特許文献１参照）。
【０００３】
このような折り畳みコンテナにあっては、側板の外面にラベル等を貼ったりするため、側板の一部を側断面形状が略コ字状となるように外側に凸曲させて表示部を形成し、この表示部の外面にラベル等を貼ったり直接印刷したりして収納物や搬送先を表示するものであった。
【０００４】
しかしながら、このような表示部を形成するため折り畳みコンテナの側板の一部を外側に凸曲させた場合、側板の内面に側断面形状が略コ字状をした凹みが形成されるため、この凹みの上側の側板の内面からの立ち上がり部がほぼ９０°の角度で尖った状態となり、上方から手を挿し入れて収納物を持ち上げて取り出そうとすると、前記凹みの上側の尖った部分で収納物を傷つけてしまうという問題があった。
【０００５】
【特許文献１】
特開２００１−１２２２５４号公報
【０００６】
【発明が解決しようとする課題】
本発明は上記の問題点に鑑みて発明したものであり、その目的とするところは、側板を外側に側断面形状が略コ字状となるように凸曲して表示部を形成した折り畳みコンテナにおいて、収納物を取り出そうと持ち上げた際に側板の表示部が形成してある内面の凹みの上側の立ち上がり部の尖った部分に収納物が当たって収納物を損傷してしまうことのない折り畳みコンテナを提供することを課題とするものである。
【０００７】
【課題を解決するための手段】
上記課題を解決するために本発明に係る折り畳みコンテナは、矩形状の底板１の対向する一対の辺にそれぞれ回動自在に取付けた一方の一対の側板２と、対向する他の一対の辺に回動自在に取付けた他方の一対の側板２とを、一方の一対の側板２を倒した上に他方の一対の側板２を倒した状態で折り畳み且つ他方の一対の側板２を起立させた後に一方の一対の側板２を起立させて箱形状に組み立てる折り畳みコンテナであって、各側板２の内面を平板状に形成して任意の側板２の一部を側断面形状が略コ字状となるように外側に凸曲させて外面にラベル貼着及び印刷可能な表示部３を形成し、前記表示部３の内側の凹み部の上側の側板２からの立ち上がり部に内側下方に面する傾斜部８を形成して成ることを特徴とするものである。このような構成とすることで、収納物が側板２の表示部３の内側の凹み部の側板２からの上側の立ち上がり部の傾斜部８に当たっても収納物が損傷したりすることがないものである。
【０００８】
また、側板２の外面部に外リブ（２２ａ，２３ａ）を設け、側板２に形成する表示部３を該側板２の外リブ（２２ａ，２３ａ）の外側端面付近に位置するように凸曲して形成することが好ましい。このような構成とすることで、外リブを設けて補強した折り畳みコンテナにあっても収納物が側板２の表示部３の内側の凹み部の側板２からの上側の立ち上がり部の傾斜部８に当たっても収納物が損傷したりすることがないものである。
【０００９】
また、表示部３にシボ加工を施すことが好ましい。このような構成とすることで、表示部３の外面にラベル等を貼着したり剥がしたりし易くなる。
【００１０】
【発明の実施の形態】
以下、本発明を添付図面に示す実施形態に基づいて説明する。
【００１１】
本発明の折り畳みコンテナは、図１乃至図１０に示すようなもので、合成樹脂製の矩形状の底板１の対向する一対の辺にそれぞれ回動自在に取付けた一方の一対の側板２（これが先に倒す側板２であり、以下、第１の側板２ａという）と、対向する他の一対の辺に回動自在に取付けた他方の一対の側板２（これが後から倒す側板２であり、以下、第２の側板２ｂという）とを、一対の第１の側板２ａを倒した上に一対の第２の側板２ｂを倒した状態で折り畳み（図８乃至図１０参照）、且つ一対の第２の側板２ｂを起立させた後に一対の第１の側板２ａを起立させて箱形状に組み立てるようになっている（図１乃至図７参照）。
【００１２】
折り畳みコンテナは底板１が長方形をしていて折り畳んだ際に平面視長方形となり且つ箱状に組み立てた際に平面視長方形の箱となるタイプのものと、底板１が正方形をしていて折り畳んだ際に平面視正方形となり且つ箱状に組み立てた際に平面視正方形の箱となるタイプのものとがあり、本発明においては上記いずれのタイプの折り畳みコンテナであってもよいものであるが、添付図面には底板１が長方形をしている実施形態を示している。以下、底板１が長方形の場合を例として説明する。そして、以下の説明においては、第１の側板２ａを短辺側の側板とし、第２の側板２ｂを長辺側の側板として説明する。もちろん、本発明においては第１の側板２ａが長辺側の側板、第２の側板２ｂが短辺側の側板であってもよい。
【００１３】
合成樹脂製の長方形状の底板１の対向する短辺側の辺には第１の側板２ａである短辺側の側板が回動自在に取付けてあり、また、底板１の対向する長辺側の辺には第の側板２ｂである長辺側の側板が回動自在に取付けてある。
【００１４】
短辺側の側板である第１の側板２ａは図８に示すように、上下方向の長さが底板１の長辺側の長さの１／２以下の長さとなっていて、回動して折り畳んだ場合、対となった第１の側板２ａ同士が重複しないようになっている。また、添付図面の実施形態では長辺側の側板である第２の側板２ｂは図８に示すように、底板１の短辺側の長さの１／２以下の長さとなっていて、回動して折り畳んだ場合、対となった第２の側板２ｂ同士が重複しないようになっている。
【００１５】
第１の側板２ａ、第２の側板２ｂはいずれも下端部を図８に示すように、横軸部２１ａ，２１ｂにより底板１に回動自在に取付けてある。
【００１６】
ここで、第１の側板２ａの底板１への枢支位置（横軸部２１ａの高さ位置）と第２の側板２ｂの底板１への枢支部分の高さ位置（横軸部２１ｂの高さ位置）とは高さを違わせてあり、第１の側板２ａの枢支部分の高さ位置よりも第２の側板２ｂの枢支部分の高さ位置を高くしてあり、折り畳むに当たっては、先に底板１の上に第１の側板２ａを折り畳み、次に、後から第２の側板２ｂを折り畳んで一対の第１の側板２ａの上に一対の第２の側板２ｂを重ねるようになっている。
【００１７】
添付図面に示す実施形態においては、底板１の上面部の一方の一対の対向する辺には立ち上がり突部１１ａが設けてあり、他方の一対の対向する辺には立ち上がり突部１１ｂが設けてあり、立ち上がり突部１１ａよりも立ち上がり突部１１ｂの方が高さが高いものである。この立ち上がり突部１１ａ部分において上記第１の側板２ａを横軸部２１ａにより軸支してあり、立ち上がり突部１１ｂ部分において上記第２の側板２ｂを横軸部２１ｂにより軸支してある。
【００１８】
側板２には把持孔６が形成してあるが、この場合、折り畳みコンテナの種類によって、第１の側板２ａにのみ把持孔６を形成する場合、第２の側板２ｂにのみ把持孔６を形成する場合、第１の側板２ａ及び第２の側板２ｂのいずれにも把持孔６を形成する場合がある。
【００１９】
添付図面に示す実施形態においては、一対の第１の側板２ａに把持孔６を形成してある。
【００２０】
ここで、添付図面に示す実施形態においては、折り畳み時に先に倒す側板２である一対の第１の側板２ａに倒した状態で第１の側板２ａ同士が重ならず且つ該側板２を底板１に対して略平行に当接又は該側板２と底板１とが僅かな小隙間を介して対向するように設定してあり、折り畳んだ状態における折り畳みコンテナを低くすることができる。
【００２１】
図３，図５等に示すように、後から倒す側板２である第２の側板２ｂの両端部に起立状態で先に倒す側板２の両端部を受けて外側に倒れないようにするための端突部を設けてある。つまり、箱状に組み立てた際に第２の側板２ｂの端突部に第１の側板２ａの端部が当接して第１の側板２ａがそれ以上外側に倒れないようになっている。この第２の側板２ｂを倒した状態では端突部が底板１に当接するものであり、この状態で第２の側板２ｂ同士は重複しないようになっており、更に、第２の側板２ｂを第１の側板２ａに略平行状態で当接させてもよく、あるいは、僅かな隙間を形成して折り畳み状態で第２の側板２ｂからかかる荷重が第１の側板２ａに係ることなく端突部から直接底板１のみに掛かるようにしてもよい。いずれにせよ上記のような構成とすることで折り畳んだ状態の嵩を低くできるものである。
【００２２】
また、本実施形態においては、第２の側板２ｂに外側に膨曲する膨曲部５を形成してあり、青果物等の収納物を組み立てた折り畳みコンテナに収納した際に納まり良く収納できる（即ち、第２の側板２ｂにて位置決めされる）。
【００２３】
ところで、折り畳みコンテナの側板２は底板１とは別部材であり、各側板２同士も別部材であるので、底板、側板が一体化した一体容器形状のコンテナの側板に比べて側板２の強度を強くする必要がある。また、折り畳みコンテナにおいては、側板２を起立させた際に底板１の上面部（実施形態では底板１の上面部に設けた立ち上がり突部１１ａや立ち上がり突部１１ｂ）に下端面部を載置して垂直に起立させる必要あり、更に、側板２の上面部には上段に折り畳みコンテナの底板１を載置する必要がある。このため、通常は折り畳みコンテナには側板の外面に外リブを設けてある。本実施形態の折り畳みコンテナの側板２あっては、外リブとして添付図面に示すように、第１の側板２ａの本体平板部２０ａの外面部の上端部に上横リブ２２ａを設けると共に本体平板部２０ａの外面部の下端部に下横リブ２３ａを設け、第２の側板２ｂの本体部２０ｂの外面部の上端部に上横リブ２２ｂを設けると共に本体部２０ｂの外面部の下端部に下横リブ２３ｂを設けてある。また更に、第１の側板２ａには、本体平板部２０ａの上横リブ２２ａと下横リブ２３ａとの間に中間横リブ２４が設けてある。この中間横リブ２４は、把持孔６の部分においては把持孔６の周囲を囲むように形成してある。このような中間横リブ２４は、第２の側板２ｂに設けてもよく、また、側板２の中間に縦リブを設けてもよいものである。
【００２４】
また、本実施形態の側板２には多数の通気孔が形成してあるが、この通気孔は特に形成してある必要はないものである。
【００２５】
そして側板２には、一部を凸曲して表示部３を形成して更に、本発明におけるように、側板２の内面の表示部３の凹み部の上側の立ち上がり部に斜め下方に面する傾斜部８を設けたものである。
【００２６】
表示部３は、任意の側板２の一部（本実施形態では第１の側板２ａの把持孔６の一側方）を側断面形状が略コ字状となるように形成したもので、本実施形態では第２の側板２ａに形成してある。側板２の外面には、一般的には上述したような外リブ（上横リブ２２ａ，２２ｂ及び下横リブ２３ａ，２３ｂ、中間リブ２４）が設けてあり、このため、側板２の平板部（第１の側板２ａの本体平板部２０ａや第２の側板２ｂの本体部２０ｂ）の外面を表示部として利用しようとすると、リブの外端縁よりも入り込んだ部分にラベル等を貼着したり印刷したりすることになり、これらの作業がし難いと共に、表示部に貼着したバーコードや磁気コードを読み取ったりする際の作業がし難いものである。そこで、このように表示部３を側板２の外リブの外側端面付近に位置するように凸曲してリブ（上横リブ２２ａ，２２ｂ及び下横リブ２３ａ，２３ｂ、中間リブ２４）の外端縁と略同一面となるように形成することで、上述したような作業がし易くなるものである。なお、本実施形態においては、図１等に示すように、第１の側板２ａの表示部３を設けていない方の半部には、第１の側板２ａとの間にカードを保持するカード保持部４を設けてある。
【００２７】
そして、本発明においては、このように側板２の内面に表示部３の内面側の凹み部の側板２からの上側の立ち上がり部にエッジが形成されてしまうのを防止すべく、この部分を斜め下方に面する傾斜部８とするものである。このようにすることで、側板２の表示部３の内面の凹み部の上側の立ち上がり部にエッジが形成されてしまって青果物等の収納物を取出す際にエッジにて収納物を傷付けてしまうのを防止することができる。
【００２８】
以下にこのような折り畳みコンテナの折り畳み・組み立てについて説明する。上記のような構成の折り畳みコンテナは、一対の第１の側板２ａを先に折り畳み、次に、一対の第２の側板２ｂを折り畳んで図８乃至図１０に示すように折り畳むものである。このような折り畳み状態において、保管したり、空の状態で搬送することで、コンパクトに嵩低くした状態で保管したり、空の状態で搬送できるものである。
【００２９】
折り畳みコンテナを箱状に組み立てるに当たっては、第２の側板２ｂに指先をかけて第２の側板２ｂを回動させて起立させる。次に、第１の側板２ａの把持孔６に指先を入れて指先を曲げて引っ掛け、この状態で第１の側板２ａを回動して起立させて図２に示すように箱状に組み立てる。
【００３０】
起立状態で第１の側板２ａの端部が第２の側板２ｂの端突部に当たり、この状態で任意の係止手段により隣接する第１の側板２ａと第２の側板２ｂとを係止して起立状態を保持するようにしている。
【００３１】
箱状に組み立てた折り畳みコンテナ内には、青果物等の収納物を収納するものであり、箱状に組み立てた折り畳みコンテナを持ち上げたり、持ち運んだりするには側板２に設けた把持孔６に指を掛けて持ち上げたり、持ち運んだりする。
【００３２】
以上のような構成によれば、任意の側板２の一部を側断面形状が略コ字状となるように外側に凸曲して表示部３を形成した折り畳みコンテナにおいて、側板２の表示部３の内側の凹み部の上側の側板２からの立ち上がり部に先端が尖っていない傾斜部８を形成してあることで、収納物が表示部３の内側の凹み部の上側の側板２からの立ち上り部の傾斜部８に当たっても収納物がしてしまうのを防止することができる。また、収納物を収納して搬送する際に震動して収納物が飛び跳ねても傾斜部８に当たって収納物が損傷してしまうということがない。
【００３３】
また、表示部３の外面にシボ加工、特に皮シボ加工を施してもよい。このようにすることで、表示部３の外面にラベル等を貼着したり剥がしたりし易くなる。
【００３４】
また、特に図示はしないが、表示部３に設ける傾斜部８としては、上述したように表示部３の内側の凹み部の上側の側板２からの立ち上がり部に内側斜め下方に面するように傾斜する傾斜部８を設ける他に、表示部３の内側の凹み部の下側の側板２からの立ち上がり部に内側斜め上方に面するように傾斜する傾斜部８を設けたり、表示部３の内側の凹み部の左右両側の側板２からの立ち上がり部に内側斜め側方に面するように傾斜する傾斜部８を設けてもよい。これにより、収納物を取出そうとしたり収納物を搬送する際、収納物が表示部３の内側の凹み部が形成される部分にエッジが形成されないため、収納物がエッジに当たって損傷してしまう、といったことを防止することが可能となる。
【００３５】
【発明の効果】
本発明の請求項１記載の発明にあっては、上述のように、矩形状の底板の対向する一対の辺にそれぞれ回動自在に取付けた一方の一対の側板と、対向する他の一対の辺に回動自在に取付けた他方の一対の側板とを、一方の一対の側板を倒した上に他方の一対の側板を倒した状態で折り畳み且つ他方の一対の側板を起立させた後に一方の一対の側板を起立させて箱形状に組み立てる折り畳みコンテナであって、各側板の内面を平板状に形成して任意の側板の一部を側断面形状が略コ字状となるように外側に凸曲させて外面にラベル貼着及び印刷可能な表示部を形成し、前記表示部の内側の凹み部の上側の側板からの立上がり部に内側下方に面する傾斜部を形成したので、収納物が側板の表示部の内側の凹み部の側板からの上側の立ち上がり部の傾斜面に当たっても収納物が損傷したりすることがないものである。
【００３６】
また、請求項２記載の発明にあっては、上記請求項１記載の発明の効果に加えて、側板の外面部に外リブを設け、側板に形成する表示部を該側板の外リブの外側端面付近に位置するように凸曲して形成したので、外リブを設けて補強した折り畳みコンテナにあっても収納物が側板の表示部の内側の凹み部の側板からの上側の立ち上がり部の傾斜面に当たっても収納物が損傷したりすることがないものである。
【００３７】
また、請求項３記載の発明にあっては、上記請求項１又は請求項２記載の発明の効果に加えて、表示部にシボ加工を施したので、表示部の外面にラベル等を貼着したり剥がしたりし易くなる。
【図面の簡単な説明】
【図１】本発明の折り畳みコンテナの一実施形態の組み立てた状態における短辺側の側断面図である
【図２】同上の折り畳みコンテナの組み立てた状態における平面図である。
【図３】同上の短辺側の側面図である。
【図４】同上の側断面図である。
【図５】同上の長辺側の側面図である。
【図６】同上の長辺側の側断面図である。
【図７】同上の下面図である。
【図８】同上の折り畳みコンテナの折り畳んだ状態における平面図である。
【図９】同上の短辺側の側面図である。
【図１０】同上の長辺側の側面図である。
【符号の説明】
１　底板
２　側板
３　表示部
８　傾斜部
【図１】
2004131139.tif 000003
【図２】
2004131139.tif 000004
【図３】
2004131139.tif 000005
【図４】
2004131139.tif 000006
【図５】
2004131139.tif 000007
【図６】
2004131139.tif 000008
【図７】
2004131139.tif 000009
【図８】
2004131139.tif 000010
【図９】
2004131139.tif 000011
【図１０】
2004131139.tif 000012